(57)【特許請求の範囲】
【請求項１】
木質成分をもつ表出面を備える素材と、前記素材の表出面に向けて突き出る突出部分と前記素材の表出面に対して退避している退避部分とをもち前記突出部分及び前記退避部分が一方向に沿ってのびる擦り部材とを用い、
前記素材の表出面の少なくとも一部に着色塗料を塗布する塗布工程と、
その後、前記着色塗料を塗布した部分を前記擦り部材で前記一方向に沿って擦る摩擦工程と、
その後、透明性または半透明性をもつ透明層を積層する上塗り工程とを順に実施することを特徴とする木目風塗装処理方法。
【請求項２】
請求項１において、前記摩擦工程では、前記素材の延設方向に沿って前記擦り部材で複数回に分けて擦る擦り操作を行い、各前記擦り操作は、前記素材の表出面の延設方向、及び、前記延設方向と交差する方向のうちの少なくとも一方において所定距離ずらして行うことを特徴とする木目風塗装処理方法。
【請求項３】
請求項１または２において、前記着色塗料を塗布する前に、前記素材の表出面のうち着色塗料を塗布する部分に、下塗り塗装を行ない、
かつ、前記上塗り工程の前に、前記摩擦工程を実施した部分に仕上げ色を塗ることを特徴とする木目風塗装処理方法。
【請求項４】
請求項１〜３に係る木目風塗装処理方法の実施に使用されるものであって、
木質成分をもつ表出面を備える素材の表出面に向けて突き出る突出部分と、前記素材の表出面に対して退避している退避部分とをもち、
前記突出部分及び前記退避部分が一方向に沿ってのびていることを特徴とする木目風強調用擦り部材。
【請求項５】
請求項４において、前記一方向と交差する方向に沿った断面において、実質的に波形状をなしていることを特徴とする木目風強調用擦り部材。
【発明の詳細な説明】
【０００１】
【発明の属する技術分野】
本発明は木目風塗装処理方法、及び、これに使用する木目風強調用擦り部材に関する。
【０００２】
【従来の技術】
木目風塗装処理方法として、特開平９−２７６７８２号公報（１９９７年）には、中密度木質繊維板の表出面に水性塗料を塗布し、エンボス型をプレス加圧することにより中密度木質繊維板の表出面に木目模様を転写する技術が開示されている。
【０００３】
さらに別の木目風塗装処理方法として、特開平８−１８３２９９号公報（１９９６年）には、基本色調塗料を化粧材の基体部分の表出面に塗装して基本色調塗膜層を形成し、その基本色調塗膜層にサンドペーパを掛けて粗面を形成し、次に、複数の顔料を含む複合塗料を粗面に塗布して木目模様入り塗料層を形成し、次に平坦なハンド擦り部材で擦ることにより第１擦り線を形成し、さらに刷毛で第１擦り線上を擦って第２擦り線を形成し、これにより２種類の擦り線で多数の微細な凹凸擦り線を形成し、所望の天然木目模様を形成する技術が開示されている。
【０００４】
【発明が解決しようとする課題】
上記した特開平９−２７６７８２号公報に係る技術においては、エンボス型をプレス加圧することにより木目模様を転写するため、木目模様が画一的となりがちであり、満足できる天然の木目調の風合が得られるものではない。
【０００５】
上記した特開平８−１８３２９９号公報に係る技術においても、刷毛で擦ったとしても、満足できる天然の木目調の風合いが得られるものではない。
【０００６】
本発明は上記した実情に鑑みなされたものであり、天然の木目調の風合いを得るのに適する木目風塗装処理方法、及び、これに使用する木目風強調用擦り部材を提供することを課題とする。
【０００７】
【課題を解決するための手段】
本発明の係る木目風塗装処理方法は、木質成分をもつ表出面を備える素材と、素材の表出面に向けて突き出る突出部分と素材の表出面に対して退避している退避部分とをもち突出部分及び退避部分が一方向に沿ってのびる擦り部材とを用い、
素材の表出面の少なくとも一部に着色塗料を塗布する塗布工程と、
その後、着色塗料を塗布した部分を擦り部材で前記一方向に沿って擦る摩擦工程と、
その後、透明性または半透明性をもつ透明層を積層する上塗り工程とを順に実施することを特徴とするものである。
【０００８】
本発明の係る木目風塗装処理方法によれば、突出部分及び退避部分が一方向に沿ってのびる擦り部材を用いる。そして素材の表出面の少なくとも一部に着色塗料を塗布し、その後の摩擦工程において、着色塗料を塗布した部分を擦り部材で前記一方向（即ち、突出部分及び退避部分がのびる方向）に沿って擦る。このため、着色塗料を塗布した部分のうち、擦り部材の突出部分に対面している部分については、突出部分により良好に擦られる。
【０００９】
これに対して、着色塗料を塗布した部分のうち、擦り部材の退避部分に対面している部分については、退避部分との接触が制限または回避されるため、擦り部材による擦りが軽減されるかあるいは擦られない。このため着色塗料を塗布した部分において濃淡が強調され、天然の木目調の風合いが向上する。
【００１０】
本発明に係る擦り部材は、本発明の係る木目風塗装処理方法の実施に使用するものであり、木質成分をもつ表出面を備える素材の表出面に向けて突き出る突出部分と、素材の表出面に対して退避している退避部分とをもち、突出部分及び退避部分が一方向に沿ってのびていることを特徴とするものである。
【００１１】
本発明に係る擦り部材は、上記した本発明の係る木目風塗装処理方法の実施に使用することができる。すなわち、着色塗料を塗布した部分を擦り部材で前記一方向に沿って擦れば、着色塗料を塗布した部分のうち、擦り部材の突出部分に対面している部分については、突出部分により良好に擦られるが、擦り部材の退避部分に対面している部分については、擦りが軽減されるかあるいは擦られない。このため着色塗料を塗布した部分において濃淡が強調され、天然の木目調の風合いが向上する。
【００１２】
【発明の実施の形態】
本発明の係る素材としては、木質成分をもつ表出面を備えていることが好ましい。素材としては、例えば、木材の繊維の集合体をバインダで固めた人工的な合成木材を採用することができる。バインダとしては熱硬化性樹脂や熱可塑性樹脂などの樹脂を採用することができる。このようなものとしては木質繊維板があり、例えば中密度木質繊維板（以下、ＭＤＦともいう）がある。
【００１３】
塗装工程では、素材の表出面の少なくとも一部に着色塗料を塗布する。着色塗料としては、着色剤を溶媒に分散または溶かしたものを採用することができる。代表的な着色塗料としては、有機顔料、染料や一部無機顔料に展色剤（ビヒクル）を加えたものがある。
【００１４】
本発明に係る木目風塗装処理方法の好ましい形態によれば、摩擦工程における擦り操作は、素材の表出面の延設方向に沿って連続的に擦るよりも、素材の表出面の延設方向に沿って不連続的に擦ることが好ましい。この場合には、素材の表出面の延設方向に沿って擦り部材で複数回に分けて擦る擦り操作を行い、各擦り操作は、素材の表出面の延設方向、及び、素材の表出面の延設方向と交差する方向の少なくとも一方において、所定距離ずらして擦ることが好ましい。これにより擦りの形態の画一化が抑制され、天然の木目調の風合いを発揮するのに一層有利となる。
【００１５】
また本発明の係る木目風塗装処理方法の好ましい形態によれば、着色塗料を塗布する前に、素材の表出面のうち着色塗料を塗布する部分に、下塗り塗装を行なう構成を採用することができる。更にまた本発明の係る木目風塗装処理方法の好ましい形態によれば、上塗り工程の前に、摩擦工程を実施した部分に仕上げ色を塗る構成を採用することができる。
【００１６】
本発明に係る擦り部材によれば、隣設する突出部分の間のピッチ間隔は適宜選択できる。従って、隣設する突出部分の間のピッチ間隔は、全範囲にわたり均一でも良いし、擦り部材の部位によって局部的に異なる形態でも良い。
【００１７】
本本発明に係る擦り部材の好ましい形態によれば、前記した一方向と交差する方向に沿った擦り部材の断面において、実質的に波形状をなしている構成を採用することができる。擦り部材は手作業で押圧したときに撓むように、弾力性をもつことが好ましい。また擦り部材の材質は硬質樹脂でも良いし、軟質樹脂でも良い。擦り部材は、液状物をしみ込みにくい材質、つまり着色塗料がしみ込みにくい材質であることが好ましい。
【００１８】
【実施例】
（実施例１）
本実施例は、図１に示す素材１の表出面１ｓの木質部分に木目風塗装処理を施す場合である。図２に示すように、この素材１は、ＭＤＦ製の第１表面材１１と、プリント化粧紙を貼合したＭＤＦ製の第２表面材１２と、第１表面材１１と第２表面材１２との間に挟持されたＭＤＦ製の芯材１３とを備えている。芯材１３は第１表面材１１及び第２表面材１２よりも厚肉化されている。芯材１３のうち第２表面材１２よりも露出している表出面１ｓは、本実施例に係る木目風塗装処理が施される。これにより素材１の表出面１ｓに木目風塗装処理層３０が積層される。図３は木目風塗装処理を施した部分の拡大断面を模式的に示す。図３に示すように木目風塗装処理層３０は、素材１の表出面１ｓに下塗り層２１、着色塗料層２２、中塗り層２４、仕上げ層２６、透明層２８の順に積層されている。
【００１９】
本実施例に係る木目風塗装処理は次の順に施される。
【００２０】
▲１▼素材調整工程：素材１の露出部分１ｓを研磨する等して表出面１ｓを平滑化及び清浄化する。
【００２１】
▲２▼下塗り工程：素材１の清浄化した表出面１ｓに下塗り液（サンディングシーラ）を塗布し、下塗り層２１を素材１の表出面１ｓに積層する。その後、研磨部材により研磨する。下塗り層２１により、後工程で塗布される着色塗料の素材１へのしみ込みが抑えられる。なお、しみ込みを確実に抑えるために、下塗りを複数回（例えば２回）実行することも好ましい。
【００２２】
▲３▼塗布工程：素材１のうち下塗り層２１を形成した表出面１ｓに着色塗料を塗布し、着色塗料層２２を下塗り層２１の上に積層する。着色塗料の色は、後述する仕上げ色に対して目立ちやすいように濃いめの色とする。なお、塗布直後の１〜３分間程度は、乾燥しないように、着色塗料の成分をあらかじめ調合しておく。
【００２３】
▲４▼摩擦工程：その後、着色塗料を塗布した部分である着色塗料層２２を、図４に示す擦り部材４で作業者の手作業により擦る。擦り部材４は塩化ビニリデンと塩化ビニルとの共重合体を溶融固化させた合成繊維で形成されており、図４に示すように、一方向つまり矢印Ｘ方向に沿ってのびるように並走する繊維部材４Ｘと、他方向つまりＹ方向に沿ってのびるように並走する繊維部材４Ｙとを製織して構成されている。繊維部材４Ｘ、４Ｙには、小さなループが４ｃが一体的に多数個設けられている。
【００２４】
図４に示すように、擦り部材４は、素材１の表出面１ｓに向けて突き出る多数の突出部分４１と、素材１の表出面１ｓに対して退避している多数の退避部分４２とをもつ。隣設する突出部分４１の間に退避部分４２が位置している。図４に示すように、擦り部材４の突出部分４１及び退避部分４２は、一方向つまり矢印Ｘ方向に沿ってのびている。本実施例に係る擦り部材４は、図４に示すように、前記した一方向（つまり矢印Ｘ方向）と交差する方向（つまり矢印Ｙ方向）に沿った断面において、実質的にサインカーブ状をなす波形状をなしている。波底の領域が突出部分４１となり、波山の領域が退避部分４２となる。
【００２５】
隣設する突出部分４１（波の谷）間のピッチ距離Ｐ１は適宜選択することができるが、本実施例では約１〜３ｍｍ、具体的に約２ｍｍとされている。但しピッチ距離Ｐ１はこれに限定されるものではなく、必要に応じて変更することができる。隣設する退避部分４２（波の山）間のピッチ距離は、ピッチ距離Ｐ１と同一である。
【００２６】
摩擦工程においては、手作業により擦り部材４を一方向につまり矢印Ｘ方向に沿って移動させることにより、擦り部材４で素材１の表出面１ｓを擦る擦り操作を行う。擦り部材４で擦り操作を行うと、素材１の表出面１ｓに積層されている着色塗料層２２に対して擦り部材４の突出部分４１の擦れ度合いは大きい。これに対して、素材１の表出面１ｓに積層されている着色塗料層２２に対して擦り部材４の退避部分４２の擦れ度合いは少ないか、あるいはない。この結果、素材１の表出面１ｓに積層されている着色塗料層２２において、擦り部材４の突出部分４１で着色塗料層２２が削り取られた部分と、着色塗料層２２が残留した部分とで、濃淡の模様が構成される。この模様は、天然の木目調の風合いに近いものとなる。
【００２７】
また本実施例に係る擦り部材４の材質は、着色塗料がしみ込みにくい合成繊維で構成されているため、着色塗料のべったりとした跡が素材１の表出面１ｓにつくことを抑えることができる。
【００２８】
ところで、本実施例に係る擦り部材４ではなく、刷毛、筆、ブラシで擦った場合には、線状の模様となってしまい、天然の木目調の風合いとはほど遠いものとなる。しかし本実施例に係る擦り部材４で擦れば、天然の木目調の風合いに近くなる。
【００２９】
摩擦工程における擦り操作は、擦り部材４で連続的に擦るよりも、図５に示すように、素材１の延設方向（矢印Ｋ方向）に沿って不連続的に擦ることにしている。すなわち、図５に示すように、摩擦工程においては、素材１の延設方向（矢印Ｋ方向）に沿って擦り部材４で複数回に分けて擦る擦り操作を行なう。各擦り操作は、素材１の延設方向（矢印Ｋ方向）において所定距離重複するように行うと共に、素材１の延設方向（矢印Ｋ方向）と交差する方向（矢印Ｈ方向）において所定距離重複するように行う。これにより擦り形態の画一性を避けるのに有利となり、天然の木目調の風合いを発揮するのに一層有利となる。
【００３０】
▲５▼中塗り工程：この工程では、擦り操作を施した着色塗料層２２の上に中塗り液を（サンディングシーラ）を塗布し、中塗り層２４を積層する。その後に研磨を行う。さらに、スコッチブライト等の研磨剤を用い、中塗り層２４に対して表面粗しを行い、表面を粗しておく。なお外観仕上げ上、問題がない場合には、▲４▼の中塗り工程、研磨、表面粗しを廃止または簡略化することもできる。
【００３１】
▲６▼仕上げ塗り工程：この工程では、仕上げ液を塗布して仕上げ層２６を積層する。
【００３２】
▲７▼上塗り工程：可視光に対して透明性をもつクリヤな透明層２８を仕上げ層２６の上に積層する。これにより素材１の表出面１ｓ上に木目風塗装処理層３０が形成される。
【００３３】
以上説明したように本実施例においては、突出部分４１及び退避部分４２が一方向（Ｘ方向）に沿ってのびる擦り部材４を用い、素材１の表出面１ｓの少なくとも一部に着色塗料を塗布し、その後、着色塗料を塗布した部分を擦り部材４で前記一方向に沿って擦る。このため、着色塗料を塗布した部分のうち、擦り部材４の突出部分４１に対面している部分については、突出部分４１により良好に擦られる。これに対して、着色塗料を塗布した部分のうち、擦り部材４の退避部分４２に対面している部分については、擦りが軽減されるかあるいは擦られない。このため着色塗料を塗布した部分において濃淡が強調されることになり、天然の木目調の風合いを向上させることができる。
【００３４】
（実施例２）
本実施例はベッドのヘッドボードに適用した例である。平面図である図６に示すように、ベッド６は、人が横たわるベッド本体６０と、人の頭側に位置してベッド本体６０に固定されたヘッドボード６２と、人の足側に位置してベッド本体６０に固定されたフットボード６３と、ベッド本体６０の横側に固定されたサイドボード６４とを備えている。
【００３５】
図７に示すように、ＭＤＦ製の第１部材７１、ＭＤＦ製の第２部材７２、ＭＤＦ製の第３部材７３、合板製の第４部材７４で角枠状に組み付けると共に、中央領域に桁状の補強部材７５を組み付けた中間部材７を用意する。そして、中間部材７の表面側及び裏面側に、化粧紙を貼り合わせた板材７６、７７をそれぞれ組み付ける。これにより図８に示す素材１Ｂを形成する。この素材１Ｂでは、デザイン上の要請で縁部に丸み７８ａ、７８ｂが形成されている。図８に示す素材１Ｂは、本実施例に係る木目風塗装処理が施される表出面１ｓをもつ。図９はこの素材１Ｂの断面の要部を示す。図９に示すように、素材１Ｂの露出した表出面１ｓに対して、前記した▲１▼〜▲７▼に示す工程が順に実施され、木目風塗装処理層３０が形成される。これによりヘッドボード６２となる素材１Ｂの天然の木目調の風合いが向上している。
【００３６】
本実施例に係る摩擦工程においては、素材１Ｂの表出面１ｓの延設方向である矢印Ｋ２方向に沿って擦り部材４で複数回に分けて擦る擦り操作を行なう。即ち、各擦り操作Ｓａ、Ｓｂ、Ｓｃ、Ｓｄ、Ｓｅ、Ｓｆは、前後の擦れ操作が一部重なるように、素材１Ｂの表出面１ｓの延設方向である矢印Ｋ２方向において所定距離ずらして行なわれている。更に本実施例に係る摩擦工程においては、各擦り操作Ｓａ、Ｓｂ、Ｓｃ、Ｓｄ、Ｓｅ、Ｓｆは、前後の擦れ操作が一部重なるように、素材１Ｂの延設方向と交差する方向においても所定距離ずらして行なわれている。これにより擦り形態の画一性が抑えられ、素材１Ｂの天然の木目調の風合いが一層向上する。
【００３７】
（実施例３）
本実施例はベッド６のサイドボード６４に適用した例である。図１１（Ａ）（Ｂ）に示すように、サイドボード６４となる素材１Ｃは、ＭＤＦで形成されており、飾り枠となるにＭＤＦ製の素材１Ｃの表出面１ｓに対して、前記した▲１▼〜▲７▼に示す工程が順に実施されている。従って、サイドボード６４の飾り枠となる素材１Ｃの表出面１ｓに対して本実施例に係る木目風塗装処理層３０が形成されている。これによりサイドボード６４となる素材１Ｃの天然の木目調の風合いが向上している。なお、サイドボード６４の断面は、ほぼ逆Ｌの字形状とされている。なおサイドボード６４の形状は、図１１（Ａ）（Ｂ）に示す形態に限定されるものではない。
【００３８】
（実施例４）
本実施例はベッドのフットボード６３に適用した例である。図１２（Ａ）に示すように、フットボード６３となる素材１Ｄは、プリント化粧紙を貼り合わせたＭＤＦで形成されている。ＭＤＦ製の素材１Ｄの表出面１ｓに対して、前記した▲１▼〜▲７▼に示す工程が順に実施される。従ってフットボード６３となるＭＤＦ製の素材１Ｄの表出面１ｓには木目風塗装処理層３０が形成されている。
【００３９】
図１２（Ｂ）は別のフットボード６３の断面を示す。このフットボード６３の断面は、ほぼ逆Ｌの字形状とされている。フットボード６３の飾り枠となる素材１Ｄの表出面１ｓに対して、前記した▲１▼〜▲７▼に示す工程が順に実施され、本実施例に係る木目風塗装処理層３０が形成されている。なおフットボード６３の形状は、図１２（Ａ）（Ｂ）に示す形態に限定されるものではない。
【００４０】
（実施例５）
図１３に示すように、擦り部材４Ｂは、素材１の表出面１ｓに向けて突き出る多数の突出部分４１Ｂと、素材１の表出面１ｓに対して退避している多数の退避部分４２Ｂとをもつ。隣設する突出部分４１Ｂの間に退避部分４２Ｂが位置している。擦り部材４Ｂの突出部分４１Ｂ及び退避部分４２Ｂは、一方向（図１３において紙面の垂直方向）に沿ってのびている。
【００４１】
本実施例に係る擦り部材４Ｂにおいては、多数個のループ４ｃが一体的に設けられている。更に、図１３に示すように、隣設する突出部分４１Ｂの間のピッチ間隔Ｐ３は、均一ではなく、部分的に異なるように設定されている。隣設する退避部分４２Ｂ間のピッチ間隔Ｐ４も、均一ではなく、部分的に異なるように設定されている。このため着色塗料を塗布した部分において濃淡の画一化を抑制でき、天然の木目調の風合いを一層向上させることができる。
【００４２】
（実施例６）
図１４に示すように、擦り部材４Ｃは、素材１の表出面１ｓに向けて突き出る多数の突出部分４１Ｃと、素材１の表出面に対して退避している多数の退避部分４２Ｃとをもつ。隣設する突出部分４１Ｃの間に退避部分４２Ｃが位置している。擦り部材４Ｃの突出部分４１Ｃ及び退避部分４２Ｃは、一方向（図１４において紙面垂直方向）に沿ってのびている。
【００４３】
本実施例に係る擦り部材４Ｃは、図１４に示すように、断面において、環状輪４５を多数個並設して構成されている。環状輪４５には多数個のループ４ｃが一体的に製織されている。
【００４４】
摩擦工程においては、手作業により擦り部材４Ｃを一方向（図１４の紙面の垂直方向）に沿って移動させることにより、擦り部材４Ｃで素材１の表出面１ｓを擦る擦り操作を行う。このように擦り操作を行うと、素材１の表出面１ｓに積層されている着色塗料層２２に対して擦り部材４Ｃの突出部分４１Ｃの擦れ度合いは大きい。これに対して、素材１の表出面１ｓに積層されている着色塗料層２２に対して擦り部材４Ｃの退避部分４２Ｃの擦れ度合いは小さい。このため着色塗料を塗布した部分において濃淡が強調され、天然の木目調の風合いを向上させることができる。
【００４５】
（その他）
上記した実施例ではベッド６のヘッドボード６２、フットボード６３、サイドボード６４に木目風塗装処理を施しているが、これに限らず、素材としての木製本箱、木製テーブル、木製椅子等の木製素材の表出面において、天然木目調の風合いを増す塗装処理に適用しても良いものである。
【００４６】
上記した実施例においては、擦り部材４、４Ｂ、４Ｃにおいては、多数個のループ４ｃが設けられているが、ループ４ｃが形成されていない形態でも良い。
【００４７】
そのほか、本発明は上記し且つ図面に示した実施例のみに限定されるものではなく、要旨を逸脱しない範囲内で必要に応じて適宜変更して実施できるものである。
【００４８】
（付記）
上記した記載から次の技術的思想を把握することもできる。
【００４９】
・素材は、木質繊維の集合体をバインダで固めて構成され表出面をもつ合成木材を備えている請求項１に係る木目風塗装処理方法。
【００５０】
合成木材であっても、合成木材の表出面の少なくとも一部に、本発明に係る木目風塗装処理方法を施せば、天然の木目調の風合いを向上させることができる
・人が横たわるベッド本体と、人の頭側に位置してベッド本体に固定されたヘッドボードと、人の足側に位置してベッド本体に固定されたフットボードと、ベッド本体の横側に固定されたサイドボードとをもつベッドであって、ヘッドボード、フットボード、サイドボードの少なくとも一方には、請求項１に係る木目風塗装処理方法が実行されて形成された木目風塗装処理層が形成されていることを特徴とするベッド。天然の木目調の風合いを向上させたベッドを提供することができる。
【００５１】
・擦り部材において隣設する突出部分の間のピッチ間隔は、均一ではなく、少なくとも一部のピッチ間隔が、部分的に異なるように設定されていることを特徴とする各請求項に記載の木目風塗装処理方法及びこれに使用する擦り部材。天然の木目調の風合いを向上させることができる。
【００５２】
・擦り部材は、合成樹脂で形成されていることを特徴とする各請求項に記載の木目風塗装処理方法及びこれに使用する擦り部材。摩擦工程において、擦り部材が適度に変形するため、擦り形態の画一性を低減するのに有利となる。
【００５３】
・摩擦工程は、手作業で行われることを特徴とする各請求項に記載の木目風塗装処理方法及びこれに使用する擦り部材。摩擦工程が手作業で行われるため、擦り形態の画一性を低減でき、天然の木目調の風合いを向上させることができる。のに有利となる。
【００５４】
【発明の効果】
本発明の係る木目風塗装処理方法によれば、突出部分及び退避部分が一方向に沿ってのびる擦り部材を用い、素材の表出面の少なくとも一部に着色塗料を塗布した後、着色塗料を塗布した部分を擦り部材で前記一方向に沿って擦る。このため、着色塗料を塗布した部分のうち、擦り部材の突出部分に対面している部分については、突出部分により良好に擦られる。これに対して、着色塗料を塗布した部分のうち、擦り部材の退避部分に対面している部分については、擦りが軽減されるかあるいは擦られない。このため着色塗料を塗布した部分において濃淡が強調され、天然の木目調の風合いを向上させることができる。
【００５５】
本発明に係る擦り部材は、上記した本発明の係る木目風塗装処理方法の実施に使用することができる。すなわち、着色塗料を塗布した部分を擦り部材で一方向に沿って擦れば、着色塗料を塗布した部分のうち、擦り部材の突出部分に対面している部分については、突出部分により良好に擦られる。これに対して、着色塗料を塗布した部分のうち、擦り部材の退避部分に対面している部分については、擦りが軽減されるかあるいは擦られない。このため着色塗料を塗布した部分において濃淡が強調され、天然の木目調の風合いを向上させることができる。
【図面の簡単な説明】
【図１】素材の要部の平面図である。
【図２】素材の要部の断面図である。
【図３】素材の表出面に積層した木目風塗装処理層の拡大断面図である。
【図４】擦り部材の要部の拡大斜視図である。
【図５】素材に対して擦り操作を行う形態を示す平面図である。
【図６】ベッドの平面図である。
【図７】ベッドのヘッドボードとなる素材の組み付けを示す斜視図である。
【図８】ベッドのヘッドボードとなる素材の正面図である。
【図９】図８におけるＡーＡ線断面図である。
【図１０】ベッドのヘッドボードとなる素材に対して擦り操作を行う形態を示す平面図である。
【図１１】（Ａ）はベッドのサイドボードの要部の断面図であり、（Ｂ）はベッドのサイドボードの断面図である。
【図１２】（Ａ）はベッドのフットボードの斜視図であり、（Ｂ）は他のベッドのフットボードの断面図である。
【図１３】別例に係る擦り部材の要部の拡大正面図である。
【図１４】異なる別例に係る擦り部材の要部の拡大正面図である。
【符号の説明】
図中、１は素材、１ｓは表出面、２２は着色塗料層、４、４Ｂ、４Ｃは擦り部材、４１、４１Ｂ、４１Ｃは突出部分、４２、４２Ｂ、４２Ｃは退避部分、６はベッドを示す。
【図１】
0004226162.tif 000002
【図２】
0004226162.tif 000003
【図３】
0004226162.tif 000004
【図４】
0004226162.tif 000005
【図５】
0004226162.tif 000006
【図６】
0004226162.tif 000007
【図７】
0004226162.tif 000008
【図８】
0004226162.tif 000009
【図９】
0004226162.tif 000010
【図１０】
0004226162.tif 000011
【図１１】
0004226162.tif 000012
【図１２】
0004226162.tif 000013
【図１３】
0004226162.tif 000014
【図１４】
0004226162.tif 000015